(57)【特許請求の範囲】
【請求項１】
薬液が収容されたカートリッジが収容された注射器本体部の先端部に、着脱自在に取り付けられる、内部に注射針が収容された注射針保護装置であって、
注射針が取り付けられたニードルハブと、
前記ニードルハブが摺動可能に収容され、前記注射針を覆う遮蔽筒と、
前記ニードルハブと前記遮蔽筒との間に配置されたスプリングと、
前記ニードルハブと前記遮蔽筒との間の相対移動を禁止し、前記注射器本体部の先端部に形成された解除突起により動作状態が解除されるロック部材と、を備え、
前記注射器本体部の先端部が注射針保護装置内に進入することによって、解除突起によりロック部材の動作状態が解除され、前記遮蔽筒により注射針が遮蔽されている状態から前記遮蔽筒から注射針が露出する状態になされ、
かつ、前記注射器本体部が注射針保護装置内で後退することによって、前記スプリングによって前記遮蔽筒内を前記ニードルハブが移動し、注射針が露出する状態から前記遮蔽筒により注射針が遮蔽されている状態になされ、前記ロック部材が動作状態になされることを特徴とする注射針保護装置。
【請求項２】
前記ロック部材が、
前記ニードルハブの外周面に形成された突起と、
前記ニードルハブの外周面に形成され、軸線に対して傾斜したガイド突起と、
前記遮蔽筒に形成された、端部から軸線方向に延設された第１の切込み部と、
前記第１の切込み部を横断するように、前記第１の切込み部の縁部から突出した係止突起と、
前記遮蔽筒の内周面に、前記第１の切込み部と平行に形成された第１の溝部と、
前記遮蔽筒の内周面に形成された第１の斜面を有する第２の溝部と、を備え、
前記第１の切込み部内に前記突起が収容され、前記第２の溝部内にガイド突起が収容され、前記スプリングの反発力により、前記突起が前記係止突起に係止され、ガイド突起が第１の斜面に係止されることにより、前記ニードルハブと前記遮蔽筒との間の相対移動が禁止され、
注射針保護装置内に進入した注射器本体部の先端部によって、前記遮蔽筒に対して前記ニードルハブが移動することにより、前記解除突起によって係止突起を押し上げ、前記遮蔽筒が変形する共に、前記第１の斜面とガイド突起によって前記ニードルハブが回動し、前記突起が第１の切込み部から第１の溝部に移動、収容され、前記ニードルハブと前記遮蔽筒との間の相対移動の禁止が解除され、前記ロック部材の動作状態が解除されることを特徴とする請求項１記載の注射針保護装置。
【請求項３】
前記第２の溝部に第２の斜面が形成され、
注射針保護装置内に進入した注射器本体部を注射針保護装置から後退させることにより、前記遮蔽筒に対して前記ニードルハブが移動し、前記解除突起によって係止突起を押し上げ、前記遮蔽筒を変形させ、かつ前記第２の斜面とガイド突起によって前記ニードルハブが回動し、前記突起が第１の溝部から第１の切込み部に移動、収容され、前記ニードルハブと前記遮蔽筒との間の相対移動が禁止され、前記ロック部材が動作状態になされることを特徴とする請求項２記載の注射針保護装置。
【請求項４】
前記突起及び前記ガイド突起が、前記ニードルハブの外周面に複数形成され、
前記第１の切込み部、第１の溝部、第２の溝部が、前記遮蔽筒に複数形成されていることを特徴とする請求項２または請求項３記載の注射針保護装置。
【発明の詳細な説明】
【技術分野】
【０００１】
本発明は、注射針保護装置に関し、例えば、患者自身が常時携帯して必要時に注射することができる注射器の注射針保護装置に関する。
【背景技術】
【０００２】
例えば、糖尿病患者等においては、患者自身がインシュリン等を皮下注射することが一般的に行われている。
このような注射器にあっては、図１２（ａ）に示すように、薬液が収容された注射器本体部１００の先端部に螺子部１００ａが形成されている。一方、針収容部材１０１に収容された注射針（針部１０１ｃ）には、前記螺子部１００ａと螺合する螺子部（図示せず）が形成されている。
そして、図１２（ｂ）に示すように、針収容部材１０１に収容された針部１０１を、前記螺子部１００ａに螺合する。続いて、図１２（ｃ）に示すように、前記針収容部材１０１の外カバー１０１ａを外すことにより、前記針部１０１ｂを前記注射器本体部１００の先端部に取り付ける。その後、図１２（ｄ）に示すように、前記針部１０１ｂから内カバー１０１ｃを取り外す。
これにより、注射器本体部１００への注射針１０１ｄの装着が了する。患者は身体の所定の部位に前記注射針１０１ｄを刺し、注射器本体部１００を操作することによって、注射を実行する。
【０００３】
注射後、患者は前記操作の逆の操作を行い、注射器本体部１００から前記針部１０１ｂの取り外しを行う。
即ち、内カバー１０１ｃを注射針１０１ｄに装着し、その後、外カバー１０１ａ内に針部１０１ｂを収容し、前記外カバー１０１ａを回転させることにより、針収容部材１０１（針部１０１ｂ）を注射器本体部１００から取り外し、注射の一連の操作が完了する。尚、取り外された針収容部材１０１は廃棄物として処理される。
一方、前記注射器本体部１００内には、薬液が所定回数分収容されており、注射を再び実行する際には、新たな注射針の着脱が行われる。
【０００４】
ところで、前記針収容部材１０１は、患者が不用意に注射針を刺さないように、針を保護する部材として機能している。
しかしながら、前記針収容部材１０１にあっては、内カバー１０１ｃを注射針１０１ｄに装着する際、誤って、患者自身の手を刺してしまう虞があった。
【０００５】
この問題を解決するものとして、特許文献１にあっては、注射針が取り付けられたハブと、前記注射針を覆う遮蔽体を設け、前記遮蔽体がハブに対して移動し、注射針が露出する状態と、注射針が遮蔽される状態になす注射針保護装置が提案されている。また、特許文献２においても、特許文献１と同様な注射針保護装置が提案されている。
このような注射針保護装置にあっては、内カバーを設ける必要がなく、前記遮蔽体を移動させることにより、注射針が遮蔽される状態になされるため、患者自身の手を誤って刺してしまうことを防止することができる。
【先行技術文献】
【特許文献】
【０００６】
【特許文献１】特表２０１３−５２６９７７公報
【特許文献２】特表２００３−５３４１０５公報
【発明の概要】
【発明が解決しようとする課題】
【０００７】
しかしながら、前記した特許文献１，２に示された注射針保護装置にあっては、注射針が遮蔽されている状態から注射針が露出する状態に、不用意に変わらないように、遮蔽体とハブとの間に、いわゆるロック部材が設けられている。
しかしながら、このような遮蔽体とハブとの間にロック部材が設けられ、前記遮蔽体とハブとの間の相対的な移動を禁止する注射針保護装置にあっては、注射針を注射器本体部に装着した後に前記ロック部材を解除し、遮蔽体とハブとの間の相対的な移動を可能な状態にする必要がある。また、注射器使用後においては、ロック部材を動作させた後に、注射針を注射器本体部から取り外す等の操作を行う必要がある。
このように、ロック部材を動作状態、非動作状態になすための操作が必要であり、その操作が煩雑であり、また、患者がその操作を忘れ、注射針が患者自身の手を誤って刺す虞がある。
【０００８】
また、注射針を注射器本体部に装着する際に、前記ロック部材が不用意に解除され、注射針が遮蔽されている状態から注射針が露出する状態に変化し、注射針が患者の手等を刺す虞がある。
また、前記ロック部材が不用意に解除されることは、注射針を注射器本体部に装着する際のほか、使用済み注射器を破棄処理する際にも起こり得、注射針が廃棄処理者の手等を刺す虞がある。
【０００９】
本発明者は、上記事情に鑑みて、注射針の着脱をより安全に、しかも煩雑さを伴うことなく行うことができ、更には、廃棄処理についても安全に行うことができる注射針保護装置を鋭意研究し、本発明を完成するに至った。
【００１０】
本発明は、注射針が収容された注射針保護装置内に注射器本体部の先端部を進退せることによって、注射針保護装置のロック部材の動作状態を解除でき、また注射針保護装置のロック部材を動作状態になすことができる注射針保護装置を提供することを目的とする。
【課題を解決するための手段】
【００１１】
本発明にかかる注射針保護装置は、薬液が収容されたカートリッジが収容された注射器本体部の先端部に、着脱自在に取り付けられる、内部に注射針が収容された注射針保護装置であって、
注射針が取り付けられたニードルハブと、
前記ニードルハブが摺動可能に収容され、前記注射針を覆う遮蔽筒と、
前記ニードルハブと前記遮蔽筒との間に配置されたスプリングと、
前記ニードルハブと前記遮蔽筒との間の相対移動を禁止し、前記注射器本体部の先端部に形成された解除突起により動作状態が解除されるロック部材と、を備え、
前記注射器本体部の先端部が注射針保護装置内に進入することによって、解除突起によりロック部材の動作状態が解除され、前記遮蔽筒により注射針が遮蔽されている状態から前記遮蔽筒から注射針が露出する状態になされ、
かつ、前記注射器本体部が注射針保護装置内で後退することによって、前記スプリングによって前記遮蔽筒内を前記ニードルハブが移動し、注射針が露出する状態から前記遮蔽筒により注射針が遮蔽されている状態になされ、前記ロック部材が動作状態になされることを特徴としている。
【００１２】
このように、本発明にかかる注射針保護装置は、前記注射針保護装置に対する注射器本体部の進退によって、ロック部材の動作状態を解除、あるいは動作状態になすことができる。更に言えば、注射針保護装置を注射器本体部に着脱する操作のみで、ロック部材の動作状態を解除、あるいは動作状態になすことができ（ロック部材のための特別な操作を行う必要がなく）、患者の操作忘れによる事故を防止することができる。
また、注射針を注射器本体部に装着する際、あるいは廃棄処理する際に、前記ロック部材が不用意に解除され、注射針が遮蔽されている状態から注射針が露出する状態に変化し、患者あるいは廃棄処理者の手等を刺すという事故を防止することができる。
【００１３】
ここで、  前記ロック部材が、前記ニードルハブの外周面に形成された突起と、前記ニードルハブの外周面に形成され、軸線に対して傾斜したガイド突起と、前記遮蔽筒に形成された、端部から軸線方向に延設された第１の切込み部と、前記第１の切込み部を横断するように、前記第１の切込み部の縁部から突出した係止突起と、前記遮蔽筒の内周面に、前記第１の切込み部と平行に形成された第１の溝部と、前記遮蔽筒の内周面に形成された第１の斜面を有する第２の溝部と、を備え、前記第１の切込み部内に前記突起が収容され、前記第２の溝部内にガイド突起が収容され、前記スプリングの反発力により、前記突起が前記係止突起に係止され、ガイド突起が第１の斜面に係止されることにより、前記ニードルハブと前記遮蔽筒との間の相対移動が禁止され、注射針保護装置内に進入した注射器本体部の先端部によって、前記遮蔽筒に対して前記ニードルハブが移動することにより、前記解除突起によって係止突起を押し上げ、前記遮蔽筒が変形する共に、前記第１の斜面とガイド突起によって前記ニードルハブが回動し、前記突起が第１の切込み部から第１の溝部に移動、収容され、前記ニードルハブと前記遮蔽筒との間の相対移動の禁止が解除され、前記ロック部材の動作状態が解除されることが望ましい。
【００１４】
また、前記第２の溝部に第２の斜面が形成され、注射針保護装置内に進入した注射器本体部を注射針保護装置から後退させることにより、前記遮蔽筒に対して前記ニードルハブが移動し、前記解除突起によって係止突起を押し上げ、前記遮蔽筒を変形させ、かつ前記第２の斜面とガイド突起によって前記ニードルハブが回動し、前記突起が第１の溝部から第１の切込み部に移動、収容され、前記ニードルハブと前記遮蔽筒との間の相対移動が禁止され、前記ロック部材が動作状態になされることが望ましい。
【００１５】
また、前記突起及び前記ガイド突起が、前記ニードルハブの外周面に複数形成され、前記第１の切込み部、第１の溝部、第２の溝部が、前記遮蔽筒に複数形成されていることが望ましい。
また、前記遮蔽筒の先端部分には、注射針が挿通する貫通孔を有するキャップが取り付けられていることが望ましい。
【発明の効果】
【００１６】
本発明によれば、注射針が収容された注射針保護装置内に注射器本体部の先端部を進退せることによって、注射針保護装置のロック部材の動作状態を解除でき、また注射針保護装置のロック部材を動作状態になすことができる注射針保護装置を得ることができる。
【図面の簡単な説明】
【００１７】
【図１】図１は、本発明の一実施形態にかかる注射針保護装置が注射器本体に取り付けられた状態（ロック部材解除前の状態）を示す斜視図である。
【図２】図２は、本発明の一実施形態にかかる注射針保護装置を示す図であって、（ａ）は斜視図、（ｂ）は側面図である。
【図３】図３は、図２に示した注射針保護装置を示す断面図であって、（ａ）は図２（ｂ）の縦断面図、（ｂ）は（ａ）と９０度異なる縦断面図である。
【図４】図４は、ニードルハブを示す斜視図であって、（ａ）は先端部側から見た斜視図、（ｂ）は後端部側から見た斜視図である。
【図５】図５は、図４に示したニードルハブを示す図であって、（ａ）は、図４に示したニードルハブの側面図、（ｂ）は（ａ）と９０度異なる側面図である。
【図６】図６は、遮蔽筒を示す図であって、（ａ）は側面図、（ｂ）は縦断面図である。
【図７】図７は、図６に示された遮蔽筒の後端部側から見た斜視図である。
【図８】図８は、注射針保護装置のロック部材が解除される前の状態を示す図であって、（ａ）は側面図、（ｂ）は横断面図である。
【図９】図９は、注射針保護装置のロック部材が解除動作を説明する図であって、（ａ）は側面図、（ｂ）はＩ−Ｉ横断面図、（ｃ）はＩＩ−ＩＩ横断面図である。
【図１０】図１０は、注射針保護装置のロック部材が動作を説明する図であって、（ａ）はロック状態の動作解除を説明する縦断面図、（ｂ）はロック動作状態の解除状態から動作状態へ移行を説明する縦断面図である。
【図１１】図１１は、注射針保護装置のロック部材のロック動作状態を説明する図であって、（ａ）は側面図、（ｂ）はＩ−Ｉ断面図である。
【図１２】図１２は、従来の注射針保護装置を示す図であって、（ａ）〜（ｄ）は操作の状態を説明するために概略図である。
【発明を実施するための形態】
【００１８】
以下、本発明にかかる注射器保護装置の一実施形態について、図１乃至図１１に基づいて説明する。
図１に示すように、この注射針保護装置１は、注射器本体部Ａの先端部に着脱自在に取り付けられる。この注射針保護装置１の内部には、注射針が収容されており、注射針保護装置１を注射器本体部Ａに装着することによって注射針保護装置１のロック部材のロック動作が解除され、遮蔽筒４によって注射針を遮蔽している状態から露出する状態になすことができるように構成されている。
特に、前記注射針保護装置１に対する注射器本体部Ａの押し込む、あるいは引くという進退によって、ロック部材の動作状態を解除、あるいは動作状態になすことができるように構成されている。
【００１９】
前記注射器本体部Ａの内部には、薬液が収容されたカートリッジａが収容され、前記注射器本体部Ａの後端部の操作部ｂを操作することにより、内部に収容されたピストンがカートリッジａを押圧し、所定量の薬液が導出されるように構成されている。
この注射器本体部Ａの内部構造は、従来の注射器本体部の内部構造と変わらないため、その内部構造の説明は省略する。
【００２０】
また、注射針保護装置１は、図２、図３に示すように、注射針２が取り付けられたニードルハブ３と、前記ニードルハブ３が摺動可能に収容され、前記注射針２を覆う遮蔽状態と前記注射針２が突出した露出状態になす遮蔽筒４と、前記ニードルハブ３と前記遮蔽筒４との間に配置されたスプリング５と、前記遮蔽筒４の先端部分に取り付けられた、注射針２が挿通する貫通孔６ａを有するキャップ６とを備えている。
【００２１】
前記ニードルハブ３について、図４、図５に基づいて説明する。
このニードルハブ３は、有底円筒状に形成され、ニードルハブ３の先端側に形成された底部３１と、本体部３２と、前記本体部３２の開放端部に形成された鍔部３３とを備えている。
前記底部３１には，注射針２が挿通して取り付けられる貫通孔３１ａが設けられている。図３（ｂ）に示すように，注射針２の略中間部が、前記貫通孔３１ａに固定される。
この注射針２の後端部側は前記ニードルハブ３の内部に突出し、この注射針２の後端部は、注射器本体部Ａに注射針保護装置が装着された際、薬液が収容されたカートリッジａの栓部に刺し込まれ、前記薬液が注射針２から導出できるように構成されている。
【００２２】
また、前記鍔部３３は、ニードルハブ３の開放端部において外方に延設されている。また、前記鍔部３３には、開放端部からニードルハブ３の軸線方向に、相対向して２つの切り込み部３４が形成されている。この切り込み部３４によって、前記鍔部３３は、相対向する２つの鍔部３３ａ、３３ｂとして形成されている。
また、前記２つの鍔部３３ａ、３３ｂの一端部には、突起３５（３５ａ，３５ｂ）が形成されている。この突起３５ａ，３５ｂは、ニードルハブ３の中心に対して点対称に形成されている。
【００２３】
また、前記底部３１側の本体部３２の外周面であって、前記切り込み部３４の軸線方向の位置に、相対向して、前記軸線に対して傾斜した、２つのガイド突起３６（３６ａ，３６ｂ）が形成されている。この２つのガイド突起３６（３６ａ，３６ｂ）も、この突起３５ａ，３５ｂと同様に、前記ニードルハブ３の中心に対して点対称に形成されている。
【００２４】
次に、遮蔽筒４について図６、図７に基づいて説明する。
この遮蔽筒４は円筒状に形成され、先端部側にはキャップが装着されるキャップ装着部４１が形成されている。このキャップ装着部４１には、キャップ６と嵌合する突起４１ａが周方向に形成されている。
また、遮蔽筒４の本体部４２には、端部４２ａから軸線方向に延設された直線状の第１の切込み部４３と、前記第１の切り込み部４３に続いて軸線に対して直交する方向に延設された第２の切り込み部４４からなるＬ字状の切り込み部が形成されている。
この第１の切込み部４３及び第２の切り込み部４４からなるＬ字状の切り込み部は、ニードルハブ３の中心に対して点対称に形成されている。即ち、第１の切込み部４３ａ、４３ｂ及び第２の切り込み部４４ａ，４４ｂから構成されたＬ字状の切り込み部が点対称に形成されている。
【００２５】
また、遮蔽筒４の本体部４２の端面４２ａ側には、前記第１の切込み部４３（４３ａ、４３ｂ）を横断するように、前記第１の切り込み部４３（４３ａ、４３ｂ）の縁部から突出した係止突起４５（４５ａ、４５ｂ）が形成されている。この係止突起４５は、ニードルハブ３の中心に対して点対称に、２つの係止突起４５ａ、４５ｂとして形成されている。
この係止突起４５は、前記切り込み部４３内に収容されたニードルハブ３の突起３５を係止するものである。また、前記係止突起４５は、注射器本体部Ａが装着される際、注射器本体部Ａの解除突起ｃが前記係止突起４５の下方に入り込み、前記解除突起ｃを外方向に押し上げることにより、係止突起４５近傍の遮蔽筒４の外周面を変形させ、外方向に開拡するものである。
【００２６】
また、前記遮蔽筒４の内周面には、この係止突起４５の基端部側であって、前記第１の切り込み部４３（４３ａ、４３ｂ）と平行に、かつ第２の切り込み部４４（４４ａ、４４ｂ）まで、直線状の第１の溝部４６が形成されている。この第１の溝部４６は、ニードルハブ３の中心に対して点対称に、２つの第１の溝部４６ａ、４６ｂとしてとして形成されている。
この溝部４６にニードルハブ３の突起３５が収容されることにより、ニードルハブ３が遮蔽筒４内を移動する際、ガイド溝として機能する。
【００２７】
また、前記遮蔽筒４の内周面には、前記第２の切り込み部４３から先端部まで延設された第２の溝部４７が形成されている。この第２の溝部４７は、ニードルハブ３の中心に対して点対称に、２つの第２の溝部４７ａ、４７ｂとして形成されている。
また、２つの第２の溝部４７ａ、４７ｂには、軸線に対して傾斜した、第１の斜面４８（４８ａ、４８ｂ）及び第２の斜面４９（４９ａ、４９ｂ）が形成されている。
尚、図中、第１の斜面４８ａ及び第２の斜面４９ａは図示されていないが、前記したように、第１の斜面４８ｂ及び第２の斜面４９ｂに対して、ニードルハブ３の中心とする点対称の位置に形成されている。
【００２８】
この第２の溝部４７（４７ａ、４７ｂ）は、前記ニードルハブ３のガイド突起３６（３６ａ、３６ｂ）が摺動し、前記ガイド突起３６（３６ａ、３６ｂ）を案内する。
即ち、前記ニードルハブ３が遮蔽筒４の先端部方向へ移動すると、ニードルハブ３の突起３６（３６ａ、３６ｂ）と前記第１の斜面４８（４８ａ、４８ｂ）とにより、前記ニードルハブ３を僅かに回動させる。尚、この回動によって、前記ニードルハブ３の突起３５は、第１の切り込み部４３から第１の溝部４６に移動する。
【００２９】
一方、前記ニードルハブ３が遮蔽筒５の後端部方向へ移動すると、ニードルハブ３の突起３６（３６ａ、３６ｂ）と前記第２の斜面４９（４９ａ、４９ｂ）とにより、ニードルハブ３を前記回動方向と逆方向に僅かに回動させる。尚、この回動によって、前記ニードルハブ３の突起３５は、第１の溝部４６から第１の切り込み部４３に移動する。
このように、前記ガイド突起３６（３６ａ、３６ｂ）と、前記第１の斜面４８（４８ａ、４８ｂ）及び前記第２の斜面４９（４９ａ、４９ｂ）は、前記ニードルハブ３と遮蔽筒の間に相対的な回動を付与するものである。
【００３０】
また、遮蔽筒４の本体部４２は、前記キャップ装着部４１より大径に形成され、前記本体部４２の先端部側には、周方向には段部４２ｂが形成されている。
この段部４２ｂにはスプリング５の一端部が係止される。また前記スプリング５の他端部は、前記ニードルハブ４の鍔部３３（３３ａ，３３ｂ）の上面に係止される。
【００３１】
このように構成された注射針保護装置の組立てについて図３に基づいて説明する。尚、これ以降の説明において、ニードルハブ３の中心とする点対称の位置に設けられた部材については、総称の符号を用いて説明する。
【００３２】
まず、注射針２が取り付けられたニードルハブ３の外周面側に、スプリング５を装着する。
そして、前記ニードルハブ３の突起３５を第１の切り込み部４３に収容すると共に、前記ニードルハブ３のガイド突起３６を第２の溝部４７に収容するように、前記遮蔽筒４の後端部側から押し込み、前記遮蔽筒４内部にニードルハブ３を収容する。
【００３３】
前記遮蔽筒４内部にニードルハブ３が収容された状態にあっては、前記遮蔽筒４に収容されたニードルハブ３の突起３５は、遮蔽筒４の係止突起４５に係止される。したがって、前記遮蔽筒４に対してニードルハブ３が後方に移動することはない。
また、前記遮蔽筒４に収容されたニードルハブ３のガイド突起３６は、遮蔽筒４の第２の溝部４７の第１の斜面４８に係止される。したがって、前記遮蔽筒４に対してニードルハブ３が前方に移動することもない。
【００３４】
この組み立てられた注射針保護装置、言い換えれば使用前の注射針保護装置にあっては、遮蔽筒４に対して、ニードルハブ３の前後方向に相対的な移動は、突起３５と係止突起４５、ガイド突起３と第１の斜面４８によって規制されるため、ニードルハブ３が不用意に移動して、注射針２が突出する等の事故を防止することができる。
特に、前記突起３５が第１の切り込み部４３内に収容されているため、遮蔽筒４に対して、ニードルハブ３が不用意に回動することがなく、ガイド突起３６と第１の斜面４８の係止状態が解除されることもない。
このように組み立てられた注射針保護装置（使用前の注射針保護装置）にあっては、遮蔽筒４に対するニードルハブ３の移動を確実に禁止することができる。
【００３５】
次に、注射針保護装置の動作、作用について、図８乃至図１１に基づいて説明する。
注射器本体Ａの先端部の外周面には、係止突起４５に当接し、遮蔽筒４を外方に開拡する解除突起ｃと、前記ニードルハブ３２の切り込み部３４内に進入し、前記切り込み部３４の端面を押して、前記ニードルハブ３を遮蔽筒４に対して移動させる押し突起ｄと、が形成されている。
尚、図８中、符号ａは、カートリッジであり、ａ１はカートリッジａの先端部に形成された、注射針２の後端部が刺し込まれる、栓部である。
【００３６】
図８の状態は、注射器本体Ａの先端部に、注射針保護装置１を取り付けた状態を示す図であり、ロック部材を解除する前の状態であり、この状態あっては、前記押し突起ｄは前記切り込み部３４内に位置し、前記解除突起ｃは第１の第１の切り込み部４３の入り口（端部）に位置している。
【００３７】
図８に示す状態から注射針保護装置１を注射器本体Ａ側に、あるいは注射器本体Ａを注射針保護装置側１に移動させる。即ち、注射器本体の先端部を、注射針保護装置１内に進入させる（押し込む）。
そのとき、前記解除突起ｃは前記切り込み部３４内に僅かに移動して、図９に示すように、係止突起４５の下方に入り込み、係止突起４５近傍の遮蔽筒４の外周面を外方に強制的に開拡する。この遮蔽筒４の外方への開拡によって、突起３５は第１の切り込み部４３から離脱する。
【００３８】
そして、前記押し突起ｄが切り込み部３４の端面を押して、前記スプリング５を圧縮しながら、前記遮蔽筒４に対して、ニードルハブ３を先端方向に移動させる。この移動と、前記ガイド突起３６と第１の斜面４８とによって、遮蔽筒４とニードルハブ３が相対的に回動する。
図１０（ａ）に示すように、この回動により、前記突起３５は第１の切り込み部４３から第１の溝部４６に収容され、遮蔽筒４に対して、ニードルハブ３は、軸線方向への移動が可能となる。
その後は、前記注射器本体を、注射針保護装置内に更に進入させることにより、図１１に示すように、押し突起ｄがスプリング５を圧縮しながら、ニードルハブ３の切り込み部３４の端面を押し、先端部側に移動させ、注射針２を遮蔽筒４（キャップ６の貫通孔６ａ）よりと突出させる。尚、前記突起３５は第１の溝部４６内を移動し、ガイド突起３６は第２の溝部４７内を移動し、前記解除突起ｃは、第１の切り込み部４３内を移動する。
【００３９】
この図１１に示すような、注射針２が遮蔽筒４から突出した状態にあっては、注射針保護装置１と注射器本体Ａの嵌合する力が、前記スプリング５の反発力よりも強いため、注射針２が遮蔽筒４よりと突出した状態が維持され、患者は注射器を使用することができる。
また、注射器の使用後、注射針保護装置１から注射器本体Ａを相対的に後退させる（注射針保護装置１から注射器本体Ａを引く）と、スプリング５が伸張し、ニードルハブ３を遮蔽筒４の後方へ移動させる。
このとき、解除突起ｃが係止突起４５の下方に入り込み、遮蔽筒４を外方に強制的に開拡する。この遮蔽筒４の外方への開拡によって、突起３５は第１の溝部４６から離脱する。
【００４０】
一方、ニードルハブ３の突起３６が前記第２の斜面４９に当り、ニードルハブ３を前記回動方向と逆方向に僅かに回動させる。前記ニードルハブ３の回動によって、ニードルハブ３の突起３５は第１の溝部４６から切り込み部４３へ移動する。このようにして、初期状態、即ち、前記した組み立てられた注射針保護装置の状態に復帰する。
この使用後の状態においても、遮蔽筒４に対して、ニードルハブ３の前後方向に移動は、突起３５と係止突起４５、ガイド突起３と第１の斜面４８によって規制されるため、ニードルハブ３が不用意に移動することがなく、注射針２が突出する等の事故を防止することができる。
即ち、前記注射針保護装置１から注射器本体部Ａを引くという後退動作によって、ロック部材を動作状態になすことができる。更に言えば、注射針保護装置１を注射器本体部Ａから取り外す操作のみで、ロック部材を動作状態になすことができ、（ロック部材のための特別な操作を行う必要がなく）、患者の操作忘れによる事故を防止することができる。
【００４１】
特に、前記突起３５が第１の切り込み部４３内に収容されているため、遮蔽筒４に対して、ニードルハブ３が不用意に回転することがなく、ガイド突起３と第１の斜面４８の係止状態が解除されることもない。
このように組み立てられた注射針保護装置にあっては、遮蔽筒４に対するニードルハブ３の移動を確実に禁止することができる。
【００４２】
尚、上記実施形態あっては、注射針保護装置内に進退する注射器本体部によって、ロック部材の動作状態を解除し、またロック部材の動作状態となす具体的な構成について説明したが、本発明はこれに限定されるものでなく、他の構成によっても、ロック部材の動作状態を解除し、またロック部材を動作状態となすことができる。
【符号の説明】
【００４３】
１        注射針保護装置
２        注射針
３        ニードルハブ
３１      底部
３２      本体部
３３      鍔部
３４      切り込み部
３５      突起
３６      ガイド突起
４        遮蔽筒
４１      キャップ装着部
４２      本体部
４３      第１の切り込み部
４４      第２の切り込み部
４５      係止突起
４６      第１の溝部
４７      第２の溝部
４８      第１の斜面
４９      第２の斜面
Ａ        注射器本体
ｃ        解除突起
【図１】
0006344817.tif 000002
【図２】
0006344817.tif 000003
【図３】
0006344817.tif 000004
【図４】
0006344817.tif 000005
【図５】
0006344817.tif 000006
【図６】
0006344817.tif 000007
【図７】
0006344817.tif 000008
【図８】
0006344817.tif 000009
【図９】
0006344817.tif 000010
【図１０】
0006344817.tif 000011
【図１１】
0006344817.tif 000012
【図１２】
0006344817.tif 000013